(57)【要約】【課題】  移動端末のために共用表示装置を使用する利益を、公共的環境におけるコンフリクトを最小限にする確実なインタラクションと結び付ける。【解決手段】  表示物データを移動端末からホストシステムに送信し、前記表示物データによる表示物を前記ホストシステムに配置し、配置された前記表示物データによる表示物を共用表示装置上に提示し、少なくとも１つの表示物を選択し、選択された少なくとも１つの前記表示物を前記移動端末に入力する。オブジェクトと、前記移動端末上で前記オブジェクトに実行されるべきアクションとの組合せから、少なくとも１つの前記表示物を選択してもよい。【選択図】図２
2010136323.tif 000002
【特許請求の範囲】
【請求項１】
ホストシステムにより制御される共用表示装置と移動端末を用いるインタラクション方法であって、
前記移動端末が表示物データを前記移動端末から前記ホストシステムに送信し、
前記ホストシステムが、前記表示物データによる表示物を前記共用表示装置上に表示し、
前記移動端末に備えられる選択手段により、前記共用表示装置に表示された少なくとも１つの表示物を選択し、
前記移動端末が、選択された少なくとも１つの前記表示物の選択を前記移動端末に対する入力として前記表示物に関係付けられた所定の処理を行う、
インタラクション方法。
【請求項２】
前記表示物が、オブジェクトの表示物と、前記移動端末上で前記オブジェクトに実行されるべきアクションの表示物とを含む、請求項１に記載のインタラクション方法。
【請求項３】
前記移動端末が、入力された少なくとも１つの前記表示物を前記オブジェクトおよびアクションに対応付ける、
ことを更に含む、請求項２に記載のインタラクション方法。
【請求項４】
前記所定の処理として、前記アクションを前記オブジェクトに実行する、
ことを更に含む、請求項３に記載のインタラクション方法。
【請求項５】
前記移動端末は、携帯電話、携帯端末およびラップトップの少なくとも１つを含む、請求項１に記載のインタラクション方法。
【請求項６】
前記共用表示装置は、前記移動端末上の表示装置より大きいスクリーンサイズを有する、請求項５に記載のインタラクション方法。
【請求項７】
前記ホストシステムは、ユーザが前記共用表示装置上で少なくとも１つの前記表示物を再配置することを許可する、
ことを更に含む、請求項１に記載のインタラクション方法。
【請求項８】
前記選択手段は選択された前記表示物の画像を選択し、前記移動端末に入力する、
ことを更に含む、請求項１に記載のインタラクション方法。
【請求項９】
前記選択手段は前記表示物の各々に対応するコードを前記ホストシステムに送信する、
ことを更に含み、
前記コードは前記共用表示装置上に前記表示物によって提示される、
請求項１に記載のインタラクション方法。
【請求項１０】
前記コードを前記移動端末に入力する、
ことを更に含む、請求項９に記載のインタラクション方法。
【請求項１１】
選択された前記表示物のコードの画像を前記移動端末に入力する、
ことを更に含む、請求項１０に記載のインタラクション方法。
【請求項１２】
共用表示装置上に表示物を提示するための表示物データを生成するとともに送信する移動端末と、
前記表示物データを前記移動端末から受信して、前記共用表示装置に前記表示物を提示するために前記表示物データを配置するホストシステムと、
を備え、
前記移動端末は、ユーザによって選択される少なくとも１つの前記表示物の選択を入力する入力モジュールを備える、
インタラクションシステム。
【請求項１３】
前記移動端末は、前記移動端末に備えられた所定のアプリケーションで利用されるオブジェクトと前記移動端末上で前記オブジェクトに実行されるべきアクションとの組合せに基づいて前記表示物データを生成する生成手段を更に備える、請求項１２に記載のインタラクションシステム。
【請求項１４】
前記移動端末は、選択された少なくとも１つの前記表示物を前記オブジェクトおよびアクションに対応付ける、請求項１３に記載のインタラクションシステム。
【請求項１５】
前記移動端末上の前記アプリケーションは前記オブジェクトに対して前記アクションを実行する、請求項１４に記載のインタラクションシステム。
【請求項１６】
前記移動端末は、携帯電話、携帯端末、およびラップトップの少なくとも１つを含む、請求項１２に記載のインタラクションシステム。
【請求項１７】
前記共用表示装置は前記移動端末上の表示装置より大きいスクリーンサイズを有する、請求項１６に記載のインタラクションシステム。
【請求項１８】
前記ホストシステムは、前記ユーザが前記共用表示装置上で少なくとも１つの前記表示物を再配置することを許可する、請求項１２に記載のインタラクションシステム。
【請求項１９】
前記入力モジュールにより選択された少なくとも１つの前記表示物は、少なくとも１つの前記表示物の画像である、請求項１２に記載のインタラクションシステム。
【請求項２０】
前記移動端末は少なくとも１つの表示物の各々に対応するコードを更に生成し、
前記コードは前記ホストシステムに送信されるとともに、前記ホストシステムは前記共用表示装置上に少なくとも１つの前記コードを表示する、
請求項１２に記載のインタラクションシステム。
【請求項２１】
前記入力モジュールにより、前記ユーザによって選択される少なくとも１つの前記表示物のコードが前記移動端末に入力される、請求項２０に記載のインタラクションシステム。
【請求項２２】
前記入力モジュールにより、前記コードの画像が前記移動端末に入力される、請求項２１に記載のインタラクションシステム。
【請求項２３】
ホストシステムにより制御される共用表示装置と移動端末を用いるインタラクションをコンピュータに実現させるためのプログラムであって、
前記移動端末が表示物データを前記移動端末から前記ホストシステムに送信し、
前記ホストシステムが、前記表示物データによる表示物を前記共用表示装置上に表示し、
前記移動端末に備えられる選択手段により、前記共用表示装置に表示された少なくとも１つの表示物を選択し、
前記移動端末が、選択された少なくとも１つの前記表示物の選択を前記移動端末に対する入力として前記表示物に関係付けられた所定の処理を行う、
ことを含むプログラム。
【発明の詳細な説明】
【技術分野】
【０００１】
本発明は、共用表示装置を使用して移動端末とインタラクションするシステムおよび方法に関し、詳細には、ユーザが表示物を選択して移動端末に入力するために共用表示装置にオブジェクトとアクションとの表示物を与えることに関する。
【背景技術】
【０００２】
移動端末が携帯可能であるためには小型でなくてはならない。これは、小さなスクリーンと（増大しつつあるとはいえ）限定されたコンピューティングパワー（計算能力）およびメモリとの下で機能するように設計された革新的なインタラクション形式を必要とする。移動端末とインタラクションするユーザの能力を拡張するための１つの魅力的な方法は、外部の共用表示装置によることである。１ピクセル当りの価格は下がりつつあり、大型の共用表示装置が共用スペースに普及する可能性は高い。人間とコンピュータとのインタラクションコミュニティは、人々がマルチタッチ技術によって駆動される共用表示装置を介してインタラクションする環境に益々関心を持つようになっている。たとえば、ペルトネン（Ｐｅｌｔｏｎｅｎ）らは、群集が８日間に亘ってフィンランドのヘルシンキの中心地に設置された大型のマルチタッチ表示装置とどのようにインタラクションするかを調査した（非特許文献１）。
【０００３】
このような表示装置の今現在の使用は、通常次のように特徴付けられる：１）直接的操作パラダイムに続いてインタラクションが行われる、すなわち、タッチといった適当な入力方式を介して表示装置とインタラクションすることによって操作されるオブジェクトは、表示装置上のオブジェクトに似ている；２）視覚的フィードバックは、即時的に、主要なグラフィック出力媒体である表示装置上に現れる；３）受信された入力ジェスチャーに基づいてホストコンピュータが表示装置を駆動し、オブジェクトが操作される。
【０００４】
これは、特に、このようなシステムを介して操作されるすべてのオブジェクトが共用されることを意味する。そうでなければシステムは、セキュリティ・ポリシー、認証、認可およびアクセス権の委任を必要とするオブジェクト所有権の概念を持たなくてはならない。部外秘である、または完全性および信憑性特性が保証されなければならないオブジェクトを、このようなシステムで匿名使用することは困難である。すべてのユーザは、最低限でも、個別ユーザのセキュリティ目標を施行するために表示システムとそのホストコンピュータとを信頼しなくてはならない。権限の不明な共用システムにおいて、これは達成されそうにない。
【０００５】
マルチタッチ入力は大きな魅力を有している、共用表示装置とのマルチユーザインタラクションのための選択の技術である。過去から研究者等は、これらのシステムのための入力方式としてカメラ内蔵移動端末を活用する方法を提案してきた（非特許文献２および非特許文献３参照）。このようなシステムの典型的なアーキテクチャは図１に示されており、この図は移動端末５０２を有するユーザが外部表示装置５０８を使用してホストシステム５０６上のアプリケーション５０４とインタラクションすることを可能にするシステム５００を示す。移動端末５０２は、表示されたオブジェクト５１０を認識し、シミュレートされたドラッグとクリックとを介してオブジェクト５１０を操作する方法をホストコンピュータ５０６に指示する。代替として装置５０２は、表示装置５０８に対する自分自身の位置を認識し、マウスが行うのと同様にホストコンピュータ５０６にこの位置情報を送信する。それからこの情報は、操作タスク（作業）を実行するためにホストコンピュータ５０６によって使用される。時にはシステムは、移動端末を使用して、例えば、非特許文献４に記載されているようにメモを書くことによって、ユーザが操作されたオブジェクトに注釈を付けることを可能にする。また、特許文献１は、カメラ機能を有する移動端末を介してオブジェクトとインタラクションすることについて記載している。
【先行技術文献】
【特許文献】
【０００６】
【特許文献１】米国特許出願公開第２００８／０２００２０５号明細書
【非特許文献】
【０００７】
【非特許文献１】ペルトネン（Ｐｅｌｔｏｎｅｎ）ら、「これは私のものだ、触るな！市の中心における大型マルチタッチ表示装置でのインタラクション（It’s mine, don’t touch!: interactions at a large multi-touch display in a city centre）」、ＣＨＩ２００８：計算システムにおける人的要因に関する第２６回年次ＳＩＧＣＨＩ会議抄録（Ｐｒｏｃｅｅｄｉｎｇ  ｏｆ  ｔｈｅ  ｔｗｅｎｔｙ−ｓｉｘｔｈ  ａｎｎｕａｌ  ＳＩＧＣＨＩ  ｃｏｎｆｅｒｅｎｃｅ  ｏｎ  Ｈｕｍａｎ  ｆａｃｔｏｒｓ  ｉｎ  ｃｏｍｐｕｔｉｎｇ  ｓｙｓｔｅｍｓ）、ＵＳＡ、２００８年
【非特許文献２】ラファエル（Ｒａｆａｅｌ）ら、「スイープ、ポイント＆シュート：大型公共表示装置に関する携帯電話カメラベースのインタラクション（Sweep and Point & Shoot: Phonecam-Based Interaction for Large Public Displays）」、ＣＨＩ２００５：コンピューティングシステムにおける人的要因に関する第２３回年次ＳＩＧＣＨＩ会議抄録（Ｐｒｏｃｅｅｄｉｎｇ  ｏｆ  ｔｈｅ  ｔｗｅｎｔｙ−ｔｈｉｒｄ  ａｎｎｕａｌ  ＳＩＧＣＨＩ  ｃｏｎｆｅｒｅｎｃｅ  ｏｎ  Ｈｕｍａｎ  ｆａｃｔｏｒｓ  ｉｎ  ｃｏｍｐｕｔｉｎｇ  ｓｙｓｔｅｍｓ）、ＵＳＡ、２００５年、頁１２００〜１２０３
【非特許文献３】ジアング（Ｊｉａｎｇ）ら、「直接ポインタ：ハンドヘルド・カメラを使用する大型表示装置インタラクションのための直接操作（Direct Pointer: Direct Manipulation for Large-Display Interaction using Handheld Camera）」、ＣＨＩ２００６：コンピューティングシステムにおける人的要因に関する第２４回年次ＳＩＧＣＨＩ会議抄録（Ｐｒｏｃｅｅｄｉｎｇ  ｏｆ  ｔｈｅ  ｔｗｅｎｔｙ−ｆｏｕｒｔｈ  ａｎｎｕａｌ  ＳＩＧＣＨＩ  ｃｏｎｆｅｒｅｎｃｅ  ｏｎ  Ｈｕｍａｎ  ｆａｃｔｏｒｓ  ｉｎ  ｃｏｍｐｕｔｉｎｇ  ｓｙｓｔｅｍｓ）、カナダ、２００５年、頁１１０７〜１１１０
【非特許文献４】グリーンバーグ（Ｇｒｅｅｎｂｅｒｇ）ら、「ＰＤＡおよび共用公共表示装置：個人情報を公開し、公開情報を個人情報化する（PDAs and shared public displays: Making personal information public and public information personal）」、パーソナル・テクノロジー（Ｐｅｒｓｏｎａｌ  Ｔｅｃｈｎｏｌｏｇｉｅｓ）、１９９９年、３（１）、頁５３〜６４
【非特許文献５】デビッド（Ｄａｖｉｄ）ら、「スケール不変キーポイントからの特色ある画像特徴要素（Ｄｉｓｔｉｎｃｔｉｖｅ  Ｉｍａｇｅ  Ｆｅａｔｕｒｅｓ  ｆｒｏｍ  Ｓｃａｌｅ−Ｉｎｖａｒｉａｎｔ  Ｋｅｙｐｏｉｎｔｓ）」、コンピュータビジョン国際ジャーナル（Ｉｎｔｅｒｎａｔｉｏｎａｌ  Ｊｏｕｒｎａｌ  ｏｆ  Ｃｏｍｐｕｔｅｒ  Ｖｉｓｉｏｎ）、２００４年１１月、Ｖｏｌ．６０、ｎ．２、頁９１〜１１０
【非特許文献６】フー（Ｆｏｏ）ら、「拡張可能近傍複製画像照合のための刈り込みＳＩＦＴ（Ｐｒｕｎｉｎｇ  ＳＩＦＴ  ｆｏｒ  Ｓｃａｌａｂｌｅ  Ｎｅａｒ−Ｄｕｐｌｉｃａｔｅ  Ｉｍａｇｅ  Ｍａｔｃｈｉｎｇ）」、ＡＤＣ２００７、オーストラリアデータベースに関する第１８回会議抄録（Ｐｒｏｃｅｅｄｉｎｇｓ  ｏｆ  ｔｈｅ  Ｅｉｇｈｔｅｅｎｔｈ  Ｃｏｎｆｅｒｅｎｃｅ  ｏｎ  Ａｕｓｔｒａｌｉａｓｉａｎ  Ｄａｔａｂａｓｅ）、２００７年、オーストラリア、頁６３〜７１
【発明の概要】
【発明が解決しようとする課題】
【０００８】
上記に鑑みて、共用環境における移動端末による共用表示装置の使用の安全性を向上させることが望まれている。
【課題を解決するための手段】
【０００９】
本発明の種々の態様は、外部表示装置を使用して移動端末とインタラクションするシステム、方法およびプログラムに関する。一実施形態では移動端末上のアプリケーションは、外部表示装置を駆動するホストシステムにオブジェクトとアクションとの表示物データを供給する。ホストシステムは、この外部表示装置上にこれらの表示物を配列して、ユーザがこれらの表示物とインタラクションすることを可能にする。それからユーザは、１つ以上の表示物を選択し、選択された表示物を移動端末に入力し、移動端末上のアプリケーションはこれらの表示物を処理して、適当なオブジェクトに対して適当なアクションを実行する。これらの表示物は、移動端末カメラによって撮影された表示物の写真を使用して、あるいは外部表示装置上の各表示物を備えたコードを入力することによって、移動端末に入力され得る。
【００１０】
本発明の第１の態様は、ホストシステムにより制御される共用表示装置と移動端末を用いるインタラクション方法であって、前記移動端末が表示物データを前記移動端末から前記ホストシステムに送信し、前記ホストシステムが、前記表示物データによる表示物を前記共用表示装置上に表示し、前記移動端末に備えられる選択手段により、前記共用表示装置に表示された少なくとも１つの表示物を選択し、前記移動端末が、選択された少なくとも１つの前記表示物の選択を前記移動端末に対する入力として前記表示物に関係付けられた所定の処理を行う。
【００１１】
本発明の第２の態様は第１の態様のインタラクション方法であって、前記表示物が、オブジェクトの表示物と、前記移動端末上で前記オブジェクトに実行されるべきアクションの表示物とを含む。
【００１２】
本発明の第３の態様は第２の態様のインタラクション方法であって、前記移動端末が、入力された少なくとも１つの前記表示物を前記オブジェクトおよびアクションに対応付ける、ことを更に含む。
【００１３】
本発明の第４の態様は第３の態様のインタラクション方法であって、前記所定の処理として、前記アクションを前記オブジェクトに実行する、ことを更に含む。
【００１４】
本発明の第５の態様は第１の態様のインタラクション方法であって、前記移動端末は、携帯電話、携帯端末およびラップトップの少なくとも１つを含む。
【００１５】
本発明の第６の態様は第５の態様のインタラクション方法であって、前記共用表示装置は、前記移動端末上の表示装置より大きいスクリーンサイズを有する。
【００１６】
第６の態様において、前記外部表示装置として共用される公共表示装置を選択する、ことを更に含んでもよい。
【００１７】
本発明の第７の態様は第１の態様のインタラクション方法であって、前記ホストシステムは、ユーザが前記共用表示装置上で少なくとも１つの前記表示物を再配置することを許可する、ことを更に含む。
【００１８】
本発明の第８の態様は第１の態様のインタラクション方法であって、前記選択手段は選択された前記表示物の画像を選択し、前記移動端末に入力する、ことを更に含む。
【００１９】
本発明の第９の態様は第１の態様のインタラクション方法であって、前記選択手段は前記表示物の各々に対応するコードを前記ホストシステムに送信する、ことを更に含み、前記コードは前記共用表示装置上に前記表示物によって提示される。
【００２０】
本発明の第１０の態様は第９の態様のインタラクション方法であって、前記コードを前記移動端末に入力する、ことを更に含む。
【００２１】
本発明の第１１の態様は第１０の態様のインタラクション方法であって、選択された前記表示物のコードの画像を前記移動端末に入力する、ことを更に含む。
【００２２】
本発明の第１２の態様はインタラクションシステムであって、共用表示装置上に表示物を提示するための表示物データを生成するとともに送信する移動端末と、前記表示物データを前記移動端末から受信して、前記共用表示装置に前記表示物を提示するために前記表示物データを配置するホストシステムと、を備え、  前記移動端末は、ユーザによって選択される少なくとも１つの前記表示物の選択を入力する入力モジュールを備える。
【００２３】
本発明の第１３の態様は第１２の態様のインタラクションシステムであって、前記移動端末は、前記移動端末に備えられた所定のアプリケーションで利用されるオブジェクトと前記移動端末上で前記オブジェクトに実行されるべきアクションとの組合せに基づいて前記表示物データを生成する生成手段を更に備える。
【００２４】
本発明の第１４の態様は第１３の態様のインタラクションシステムであって、前記移動端末は、選択された少なくとも１つの前記表示物を前記オブジェクトおよびアクションに対応付ける。
【００２５】
本発明の第１５の態様は第１４の態様のインタラクションシステムであって、前記移動端末上の前記アプリケーションは前記オブジェクトに対して前記アクションを実行する。
【００２６】
本発明の第１６の態様は第１２の態様のインタラクションシステムであって、前記移動端末は、携帯電話、携帯端末、およびラップトップの少なくとも１つを含む。
【００２７】
本発明の第１７の態様は第１６の態様のインタラクションシステムであって、前記共用表示装置は前記移動端末上の表示装置より大きいスクリーンサイズを有する。
【００２８】
第１６の態様において、前記外部表示装置は公共の共用表示装置であってもよい。
【００２９】
本発明の第１８の態様は第１２の態様のインタラクションシステムであって、前記ホストシステムは、前記ユーザが前記共用表示装置上で少なくとも１つの前記表示物を再配置することを許可する。
【００３０】
本発明の第１９の態様は第１２の態様のインタラクションシステムであって、前記入力モジュールにより選択された少なくとも１つの前記表示物は、少なくとも１つの前記表示物の画像である。
【００３１】
本発明の第２０の態様は第１２の態様のインタラクションシステムであって、前記移動端末は少なくとも１つの表示物の各々に対応するコードを更に生成し、前記コードは前記ホストシステムに送信されるとともに、前記ホストシステムは前記共用表示装置上に少なくとも１つの前記コードを表示する。
【００３２】
本発明の第２１の態様は第２０の態様のインタラクションシステムであって、前記入力モジュールにより、前記ユーザによって選択される少なくとも１つの前記表示物のコードが前記移動端末に入力される。
【００３３】
本発明の第２２の態様は第２１の態様のインタラクションシステムであって、前記入力モジュールにより、前記コードの画像が前記移動端末に入力される。
【００３４】
本発明の第２３の態様はホストシステムにより制御される共用表示装置と移動端末を用いるインタラクションをコンピュータに実現させるためのプログラムであって、前記移動端末が表示物データを前記移動端末から前記ホストシステムに送信し、前記ホストシステムが、前記表示物データによる表示物を前記共用表示装置上に表示し、前記移動端末に備えられる選択手段により、前記共用表示装置に表示された少なくとも１つの表示物を選択し、前記移動端末が、選択された少なくとも１つの前記表示物の選択を前記移動端末に対する入力として前記表示物に関係付けられた所定の処理を行う、ことを含む。
【００３５】
本発明に関する更なる態様は、一部は下記の説明で述べられ、また一部は下記の説明から明らかであろうし、本発明の実施によっても学習され得る。本発明の態様は、複数の要素によって、また特に下記の詳細説明と添付の請求項とにおいて指摘される種々の要素と態様との組合せによって実現され、達成され得る。
【００３６】
上記および下記の説明の両方とも例示的なものであり、また単に例示的なだけのものであって、如何なる仕方においても請求される本発明または本発明のアプリケーションを限定するようには意図されていない。
【発明の効果】
【００３７】
本発明によれば、他ユーザとの表示装置の共用環境において、移動端末を用いた共用表示装置の使用における安全性が向上する。
【図面の簡単な説明】
【００３８】
【図１】カメラ内蔵携帯電話といった移動端末を使用することによってユーザがホストシステム上のアプリケーションとインタラクションすることを可能にする当分野で公知のシステムの典型的な概要を示す。
【図２】本発明の一実施形態による、ホストによって駆動される外部表示装置を使用して移動端末とインタラクションするシステムおよび方法のアーキテクチャを示す図である。
【図３】本発明のシステムが実現され得るコンピュータプラットフォームの例示的実施形態を示す図である。
【発明を実施するための形態】
【００３９】
本明細書に組み込まれて本明細書の一部を構成する付属図面は、本発明の実施形態を例示し、以下の記載と共に本発明の技法の原理を説明して図示するために役立つ。
【００４０】
以下の詳細な説明では、同様の機能要素が同様の参照符号で表される付属図面（単数または複数）が参照される。付属図面は、本発明の原理に適合する特定の実施形態および実現形態を限定としてではなく例示として示すものである。これらの実現形態は当業者が本発明を実施することを可能にするために十分詳細に説明されるが、他の実現形態も利用可能であり、本発明の範囲と精神から逸脱せずに種々の要素の構造的変更および／または代用も可能であることは理解されるべきである。したがって以下の詳細な説明は限定的な意味で解釈されるべきではない。更に、説明される本発明の種々の実施形態は汎用コンピュータ上で動作するソフトウェアの形態で、または専用ハードウェアの形態で、またはソフトウェアとハードウェアの組合せで実現され得る。
【００４１】
本発明の一態様は、外部表示装置を使用して移動端末とインタラクションするシステムおよび方法に関し、詳細には、ユーザが選択して移動端末に入力するため、移動端末からオブジェクトおよびアクションの表示物データを外部表示装置に与えて表示させるシステムおよび方法に関する。一実施形態では、移動端末上のアプリケーションは外部表示装置を駆動するホストシステムにオブジェクトおよびアクションの表示物データを与える。ホストシステムは外部表示装置上にこれらの表示物を配置し、ユーザはこれらの表示物を操作してこれらとインタラクションすることを可能にする。それからユーザは、１つ以上の表示物を選択し、選択された表示物を移動端末に入力し、移動端末上のアプリケーションはこれらの表示物を処理して関連するオブジェクトに対する適当なアクションを実行する。これらの表示物は、移動端末に内蔵されたカメラによって撮影された表示物の写真を分析して表示物を特定する、または外部表示装置上の各表示物を備えたコードを携帯端末から入力することによって移動端末に入力され得る。
【００４２】
ここで説明されるシステムおよび方法の実施形態は、移動端末上でこの移動端末によって管理されるオブジェクトの表示物を操作するために外部または共用の表示装置を使用する。本システムおよび方法は、ユーザが彼等の移動端末とインタラクションできる方法を拡張して容易にするための手段として大型表示装置を活用することを提案する。直感に反して、本システムおよび方法は、主として多数のユーザ（すなわち移動端末）間で更に共用可能である入力装置として表示装置、一般的には出力装置を使用することを提案する。
【００４３】
一実施形態ではその内部状態に基づいて、移動端末上で動作するアプリケーションはオブジェクトに対して実行され得るアクションのセットを与える。例えば利用可能な歌のリストから１つの歌を選択してそれを演奏することは、１つのオブジェクト（選択された歌）に対する与えられたアクション（選択と演奏）である。携帯電話、スマート（高機能）フォン、携帯端末（パーソナルデジタルアシスタント（「ＰＤＡ」））およびラップトップといった移動端末は益々強力で高機能になり、したがって種々のアプリケーションにおける可能な組合せ（オブジェクト、アクション）の集合は極めて大きくなる可能性がある。移動端末の小さなディスプレイは、多くのオブジェクトおよび選択物の同時表示またはこれらを通したナビゲーションには不適当である。しかしながらここで説明されるシステムおよび方法では、大型の表示装置を用いることで、移動端末で扱う作業を容易にする。
【００４４】
携帯端末とは別個に配置された表示装置を使用して移動端末とインタラクションするシステム１００のアーキテクチャの概要は、図２に示されている。図２はまた、外部表示装置を使用して移動端末とインタラクションする方法を実施するためのステップも示している。移動端末１０２には、移動端末１０２上で動作する特定のアプリケーション１０８のために利用可能な（オブジェクト、アクション）表示物１０６のリスト１０４が用意される（ステップ２０２）。表示物は、表現されるオブジェクトとアクションとを要約してこれらに類似するように、またこれらを象徴するように設計される。一実施形態では表示物はまた、これらの表示物がどのように空間的にグループ化されるべきかについてのヒントのセットを含み得る（図示せず）。それから表示物１０６のデータと他の任意の情報とが大型の公共または外部表示装置１１２を駆動するホストシステム１１０に移動端末に内蔵される通信装置を介して送信される（ステップ２０４）。ホストシステム１１０は、他のユーザによる同時使用または共同使用におけるコンフリクトを最小限にするように表示物１０６を外部または周囲表示装置１１２に配置して表示する（ステップ２０６）。レイアウトグループの強制指示レイアウト；適当な配置の組合せ決定；表示装置上の規則的な非オーバーラップ領域またはタイルへの割当て；配置前の拡大縮小；所望領域の写真を撮影することによって配置領域を指示することによる周辺表示装置との直接インタラクションを通じた手動配置；あるいはページめくりされ得る層またはタブにグループを積み重ねること；を含むがこれらに限定されない種々の仕方でコンフリクトは最小化され得る。配置は厳密に分離され得るか、あるいは僅かなオーバーラップを許容し得る。これらの目標を達成する技法は周知である。１つの手法は、例えばスプリングモデルまたはシミュレートされた磁場、電場または重力場に基づく物理学モデルを使用して強制指示レイアウトを実行することである。このような手法では、異なる装置に属する要素のグループは、表示装置の底部にグループを沈めるシミュレートされた重力を受けるであろう。オーバーラップするグループは、これらのグループを分離する相互反発力を受けるであろう。グループの動きに対する力の効果はシミュレートされ、加えられた力に関して平衡が達成されるにつれて安定化するコンパクトなレイアウトという結果をもたらす。水を入れたカップと同様に、表示装置は下から上までグループで満たされるであろう。
【００４５】
表示物１０６が外部表示装置１１２上で視覚化されると、ユーザはより有用で視覚的に魅力的なインタフェースでこれらの表示物とインタラクションできる。特に外部表示装置１１２が移動端末１０２上の表示装置より大きいときには、ユーザはそうでなければ移動端末１０２の表示装置では利用可能でない著しく多量の情報を見ることができる。各表示物１０６はオブジェクトと移動端末１０２上で実行され得るアクションとを表すので、ユーザは外部表示装置１１２から１つ以上の表示物１０６を選択して選択された表示物１０６を移動端末１０２に入力できる（ステップ２０８）。移動端末１０２が入力された表示物１０６を受け取ると、アプリケーション１０８は表示物１０６を予め決められたオブジェクトおよびアクションに対応付けて、このオブジェクトに対してそのアクションを実行する。オブジェクト自体は移動端末を離れて送信されないので、このシステムは高度の機密性と、大抵の場合操作されたオブジェクトの完全性とを提供する。更に不注意な共用が最小化される。例えば音楽コレクションを操作するとき音楽ファイルの図形描写形式の表示物だけが外部表示装置に送信される。表示物の使用は、公知のウィンドウおよびアイコンベースのグラフィカルユーザインタフェース（ＧＵＩ）と比較されるとき重要である。例えばＸウィンドウは、ファイルそのものではなくファイルの図形的表示物だけを遠隔操作して表示および処理できる。ファイルそのものが表示装置によって影響されないことは重要ではないが、移動端末が外部表示装置における表示物のレイアウトと座標とを管理する必要がないことは本発明の一実施形態の際立った特徴である。移動端末は、表示物の提示がどのように管理されるか、また図形的表示物が表示装置上でどのように変化し得るか変化し得ないかの詳細をほとんど知ることはない。ただ１つの要件は、装置が適当なオブジェクトに対して適当なアクションを活性化できるように、表示物が装置にとってある適当な仕方で識別され得ることである。
【００４６】
更なる実施形態では、各表示物１０６をより容易に識別するためにコードまたはキー１１４が使用される。コードは、移動端末１０２上のアプリケーション１０８によって生成されて１つのペア（オブジェクト、アクション）を符号化するために役立つ。それからコードは、表示物１０６のデータと共にホストシステム１１０に送信される。コードは、このコードがテーブルを解釈して適当なペア（オブジェクト、アクション）を選択することへのキーとなるテーブルに保存され得る。オブジェクトおよびアクションが目視可能な形（例えばダイアモンド１１８とは対照的な三角形１１６）から直接復号され得るならば、不必要になる可能性がある。
【００４７】
表示物は、これらの表示物が（ａ）ユーザにとって視覚的に意味があって、（ｂ）容易に装置によって復号され得るか、あるいはユーザによって装置に入力され得るように設計される。一実施形態では、組合せ（ミステロン（Ｍｙｓｔｅｒｏｎ）、演奏）はポーティスヘッド（Ｐｏｒｔｉｓｈｅａｄ）のダミーアルバムの表紙の絵とバーコードおよび数値コードを持った歌のタイトル「ミステロン（Ｍｙｓｔｅｒｏｎ）」とによって表され得るであろう。アクションをトリガー（誘発）するためにユーザは、自分の電話(移動端末)に数値コードを入力できるか、あるいはバーコードを自動的に走査するために内蔵カメラを使用できる。電話はコードを適当なペア(オブジェクト、アクション)にマッピングして、おそらくは装置自体に対するユーザによる更なる確認を要求した後にこのペアを実行する。
【００４８】
識別コードの範囲と妥当性が電話にとって内部的なものであって、電話がコードをペア（オブジェクト、アクション）にランダムに割り当て得ることは留意されるべきである。代替実施形態では、同じオブジェクトが同時に表示され得るので；オブジェクトに対するアクションがオブジェクトおよび多数の組合せ（オブジェクト、アクション）と共に識別されるという理由から、コードはオブジェクトを必ずしも一意に識別しない。これは、携帯電話における情報検索へのバーコードの同時適用とは異なる。更なる実施形態ではコードは、１つのペア（オブジェクト、アクション）と、メッセージ認証コードとを符号化し、悪質な表示装置または他の装置によって偽造され得ない永続的なオブジェクト／アクションのペアを移動端末が残すことができるステートレス（状況依存性のない）な動作をサポートする。
【００４９】
本システムおよび方法の一実施形態は同様に図２に与えられた参照アーキテクチャと共に図示されている。携帯電話として描かれている移動端末１０２は、内部状態と、移動端末が多数の動作をサポートするオブジェクト１２０セットとを有する。アプリケーション１０８は、オブジェクト１２０とこれらに対するアクションとの組合せに関して適当な表示物１０６を選択し、それから外部表示装置１１２に表示するために表示物のデータをホストシステム１１０に送信する。このデータ送信は、これらの表示物１０６を配列またはレイアウトする方法に関するヒントを含み得る。一実施形態ではこの送信は、ＸＭＬファイル形式のこの情報を含み得る。そうする際に、外部表示装置１１２を駆動するシステム１１０は、内部管理目的のためにどの表示物１０６が表示画面１１２のどこに現れるかの記録を保持し得る。システムは送信された情報を用いて、先に説明したように他のユーザからの表示のリクエストを調整して、外部表示装置の一部の領域に表示物１０６を表示させる。移動端末のディスプレイに表示される表示体と外部表示装置に表示される表示体とは同じである必要はなく、例えば移動端末のディスプレイ上ではスクロールしなければ表示されない表示体（あるいはオブジェクト）が、より大画面の外部表示装置上では表示体として表示されてよい。続いてユーザは、電話１０２上で動作するアプリケーション１０８に入力するために１つまたは多数の表示物１０６を選択する。表示物１０６のコード部１１４は、例えば表示物１０６の一部として表示されたコード１１４をキーインすることによって、あるいはバーコードといった表示物１０６の機械復号可能部の写真を撮影することによって電話１０２に入力される。それから電話１０２は、予め決められたオブジェクトおよびアクションにコード１１４をマッピングして、このオブジェクトにアクションを実行する。
【００５０】
下記の例は、スマートフォン（高機能電話）といった移動端末上のアプリケーションによるこのアーキテクチャの２、３の可能な使用法である。
【００５１】
一実施形態では、携帯電話といった移動端末上の受信者のための電子メールを作成するときにユーザは、携帯電話上のファイルの大きなコレクションから選択された多数のファイルを、作成されたメールに添付できる。ユーザは、画像ファイルといったファイルカテゴリーを予め選択でき、それからホストシステムは携帯電話上の画像ファイルに関する表示体の情報を携帯電話から受信し、外部表示装置上でのこれらの表示の準備をする。これらの画像は、例えばサムネイル（小型）画像、バーコードまたは数値コードによって表示装置上に表現され得る。そのときユーザは、それらの選択された画像を電話に入力するための多数のオプションを有する。第１のオプションは、バーコードを撮影することによってファイルを選択することであり、このときバーコードは例えば光学的認識ソフトウェアを使用して電話によって自動的に復号される。第２のオプションは、例えば電話がバーコード走査をサポートしない場合に、数値コードを電話に入力することである。一実施形態では、電話は入力されたプレフィックス（局番）の一意性に基づいて入力されたコードをオートコンプリート（自動完成）できる。電話はまた、ユーザが所望ファイルのサムネイル画像をタップする（軽く叩く）ことによって選択を完了できるように、電話自身の表示装置上ですべての可能な完成画像のサムネイル（小型画像）を表示できる。更に本装置は、非特許文献５に論じられているスケール不変特徴変換（Ｓｃａｌｅ  Ｉｎｖａｒｉａｎｔ  Ｆｅａｔｕｒｅ  Ｔｒａｎｓｆｏｒｍ：ＳＩＦＴ）の使用といった画像内容に基づく画像検索方法を使用して表示装置からサムネイル画像についての最近適合探索(closest-match search)を実行することもできる。ＳＩＦＴ特徴を使用する近傍複製画像検索技法(near-duplicate image retrieval techniques)のもう１つの最近の例は、非特許文献６に論じられている。この例では撮影されたアルバムカバーはすべての候補カバーアルバムの画像に対して照合されるであろうが、典型的には移動端末上の１つのペア（アクション、オブジェクト）として選択されようとしているアルバムカバーの再表示を通してのユーザによる確認の後に、最も適合するものが選択候補になるであろう。
【００５２】
他の実施形態としては、本システムは、外出先での印刷のために外部表示装置からの多数の文書から選択を行うために有用である。前述のシナリオと同様の方法でユーザは、近くのプリンタで印刷するために外部表示装置上に配置された文書の大きなコレクションから１つまたは多数の文書を選択できる。
【００５３】
更なる実施形態では、システムは、歌の大きなデータベースから音楽プレイリストを作成するように設計され得る。前述のシナリオと同様の方法でユーザは、プレイリストのために選択されるべき歌を決定するために、外部表示装置上で歌の大きなリストを見ることができ、この表示装置上でこれらの歌の配置を操作することもできる。ユーザがどの歌をプレイリストに含ませるべきかを決定すると、ユーザはこの歌に関して符号化された画像を、または歌を表すコードを電話に入力でき、その後に電話上のアプリケーションは電話上で所望のプレイリストを作成するであろう。
【００５４】
もう１つの実施形態では前述のシナリオと同様の方法でユーザは、外部表示装置上で表示されるユーザの携帯電話上の１つまたは多数の表示物のスライドを持つことができる。それからユーザは、表示物のすべてをより容易に見ることができ、どの表示物を合成すべきか、あるいはどの表示物からどのスライドを新しい表示物に合成すべきかを決定できる。
【００５５】
更なる実施形態でユーザは、外部表示装置上で多数のコンタクト（連絡）を見ることによってアドレス帳およびグループを編成できる。前述のシナリオと同様の方法でユーザは、自分のアドレス帳から人々をソシアルネットワーク（付き合いの輪）内の特定のグループに、またはＥメール連絡リストに追加でき、あるいは人々をグループから除去することもできる。
【００５６】
当業者は、潜在的使用のリストが異なる用途のために任意の仕方で拡張され得ることを認めるであろう。ユーザはなお、例えば外部表示装置それ自体とのマルチタッチインタラクションを使用して表示物を再配置することによって外部表示装置上の表示物とインタラクションできることに留意されたい。しかしながらこれは、前述の入力プロセスが行われるまでは、如何なる仕方においても移動端末の状態に影響を与えることはない。なお、われわれのシステムおよび方法によって与えられる手段による選択を伴う表示物の最初の再配置には利点があり得る。
【００５７】
もう１つの実施形態では、表示物はユーザに絶えず変化する情報を供給するために外部表示装置上で更新され得る。
【００５８】
一実施形態では、表示物のコードは表示物を作成した電話上だけでローカルに有効である。しかしながら代替実施形態ではユーザは、これらの表示物を他の電話機に入力できる。そのとき他の電話はコードが有効でないことを知り、このコードを作成した電話の識別子を取得するために外部表示装置のホストシステムに問い合わせることができるであろう。もし元の電話がシステムに対して通信先となる識別番号を通知してあり識別可能であると分かれば、外部表示装置システムは元の電話の電話識別子で応答し得る。それからこの識別子は、他の電話が表示コードに関連するオブジェクトに関して最初の電話に問い合わせることを可能にするであろう。この方法でシステムは、同じ外部表示装置システムの共同作業中のユーザ間での制御された共用をサポートするように拡張され得る。
【００５９】
図３は、本発明の方法論の一実施形態が実現され得るコンピュータ／サーバシステム３００の一実施形態を示すブロック図である。システム３００は、コンピュータ／サーバプラットフォーム３０１と周辺装置３０２とネットワーク資源３０３とを含む。
【００６０】
コンピュータプラットフォーム３０１は、コンピュータプラットフォーム３０１の種々の部分に亘って、また種々の部分の間で情報を通信するためのデータバス３０４または他の通信機構と、情報を処理し、他の計算および制御タスクを実行するための、バス３０４に接続されたプロセッサ（ＣＰＵ）３０５と、を含み得る。コンピュータプラットフォーム３０１はまた、種々の情報ならびにプロセッサ３０５によって実行される命令を記憶するための、バス３０４に接続されたランダムアクセスメモリ（ＲＡＭ）または他の動的記憶装置といった揮発性記憶装置３０６を含む。揮発性記憶装置３０６はまた、プロセッサ３０５による命令の実行時に一時的変数または他の中間的情報を記憶するために使用され得る。コンピュータプラットフォーム３０１は更に、基本入出力システム（ＢＩＯＳ）ならびに種々のシステム構成パラメータといったプロセッサ３０５のための静的情報および命令を記憶するための、バス３０４に接続された読取り専用メモリ（ＲＯＭまたはＥＰＲＯＭ）３０７または他の静的記憶装置を含み得る。情報と命令とを記憶するために磁気ディスク、光ディスク、または固体フラッシュメモリ装置といった永続記憶装置３０８が設けられてバス３０４に接続される。
【００６１】
コンピュータプラットフォーム３０１は、システム管理者に、またはコンピュータプラットフォーム３０１のユーザに情報を表示するための、陰極線管（ＣＲＴ）、プラズマディスプレイまたは液晶表示装置（ＬＣＤ）といった表示装置３０９にバス３０４を介して接続され得る。英数字キーおよび他のキーを含む（キーボードなどの）入力装置３１０は、情報およびコマンド選択をプロセッサ３０５に伝達するためにバス３０４に接続される。もう１つのタイプのユーザ入力装置は、プロセッサ３０５に指示情報とコマンド選択とを伝達するため、および、表示装置３０９上のカーソルの動きを制御するための、マウス、トラックボール、またはカーソル指示キーといったカーソル制御装置３１１である。この入力装置は典型的には、装置が一平面内の位置を指定することを可能にする第１の軸（例えばｘ軸）と第２の軸（例えばｙ軸）という２つの軸において２つの自由度を有する。
【００６２】
コンピュータプラットフォーム３０１のために追加の、あるいはリムーバブルな記憶容量を与えるためにコンピュータプラットフォーム３０１には、バス３０４を介して外部記憶装置３１２が接続され得る。コンピュータシステム３００の一実施形態では外部リムーバブル記憶装置３１２は、他のコンピュータシステムとのデータ交換を容易にするために使用され得る。
【００６３】
本発明は、ここに説明された技法を実現するためのコンピュータシステム３００の使用法に関する。一実施形態では本発明のシステムは、コンピュータプラットフォーム３０１といった機械に常駐し得る。本発明の一実施形態によればここで説明された技法は、揮発性メモリ３０６に収容された１つ以上の命令の１つ以上の列を実行するプロセッサ３０５に応答してコンピュータシステム３００によって実行される。このような命令は、永続記憶装置３０８といったもう１つのコンピュータ可読媒体から揮発性メモリ３０６に読み込まれ得る。揮発性メモリ３０６に収容された命令の列の実行は、プロセッサ３０５にここで説明されたプロセスステップを実行させる。代替実施形態では、本発明を実現するためにソフトウェア命令の代わりに、またはソフトウェア命令と組み合わせて、配線接続された回路が使用され得る。したがって本発明の実施形態は、ハードウェア回路とソフトウェアとの如何なる特定の組合せにも限定されない。
【００６４】
ここで使用されるような用語「コンピュータ可読媒体」は、実行のためにプロセッサ３０５に命令を与えることに関与する如何なる媒体も指す。コンピュータ可読媒体は、ここで説明された方法および／または技法のいずれをも実行するための命令を保持し得る機械可読媒体の単なる一例である。このような媒体は、不揮発性媒体および揮発性媒体を含むがこれらに限定されない多くの形態を採り得る。不揮発性媒体は、例えば記憶装置３０８といった光または磁気ディスクを含む。揮発性媒体は、揮発性記憶装置３０６といったダイナミックメモリを含む。伝送媒体は、データバス３０４を構成するワイヤを含む同軸ケーブル、銅ワイヤ、および光ファイバを含む。
【００６５】
コンピュータ可読媒体の一般的な形は、例えば（登録商標）ディスク、フレキシブルディスク、ハードディスク、磁気テープ、または他の任意の磁気媒体、ＣＤ−ＲＯＭ、他の任意の光媒体、パンチカード、紙テープ、孔のパターンを有する他の任意の物理媒体、ＲＡＭ、ＰＲＯＭ、ＥＰＲＯＭ、ＦＬＡＳＨ−ＥＰＲＯＭ、フラッシュドライブ、メモリカード、他の任意のメモリチップまたはカートリッジ、後述のような搬送波、あるいはコンピュータが読み取り得る他の任意の媒体を含む。
【００６６】
コンピュータ可読媒体の種々の形は、実行のためにプロセッサ３０５に１つ以上の命令の１つ以上の列を搬送することに関わる可能性がある。例えばこれらの命令は、初めにリモート（遠隔）コンピュータから磁気ディスクに搬送され得る。代替としてリモートコンピュータは、これらの命令をリモートコンピュータのダイナミックメモリにロードして、モデムを使用して電話線で命令を送ることができる。コンピュータシステム３００にとってローカルなモデムは電話線でデータを受信でき、赤外線送信機を使用してデータを赤外線信号に変換できる。赤外線検出器は赤外線信号で搬送されたデータを受信でき、適当な回路がデータをデータバス３０４上に配置できる。バス３０４はデータを揮発性記憶装置３０６に搬送し、この記憶装置からプロセッサ３０５は命令を検索して実行する。揮発性記憶装置３０６によって受信された命令は任意選択的に、プロセッサ３０５による実行の前または後に永続記憶装置３０８に記憶され得る。これらの命令はまた、当分野では周知の種々のネットワークデータ通信プロトコルを使用してインターネットを介してコンピュータプラットフォーム３０１にダウンロードされ得る。
【００６７】
コンピュータプラットフォーム３０１はまた、データバス３０４に接続されたネットワークインタフェースカード３１３といった通信インタフェースを含む。通信インタフェース３１３は、ローカルネットワーク３１５に接続されたネットワークリンク３１４への双方向データ通信接続を与える。例えば通信インタフェース３１３は、対応するタイプの電話線へのデータ通信接続を与えるためのデジタル総合サービス網（ＩＳＤＮ）カードまたはモデムであり得る。もう１つの例として通信インタフェース３１３は、互換性のあるＬＡＮにデータ通信接続を与えるためのローカルエリアネットワークインタフェースカード（ＬＡＮ  ＮＩＣ）であり得る。周知の８０２．１１ａ、８０２．１１ｂ、８０２．１１ｇおよびＢｌｕｅｔｏｏｔｈといった無線リンクもまたネットワーク実現のために使用され得る。任意のこのような実現形態において通信インタフェース３１３は、種々のタイプの情報を表すデジタルデータストリームを搬送する電気、電磁または光信号を送受信する。
【００６８】
ネットワークリンク３１４は典型的には、１つ以上のネットワークを経由した他のネットワーク資源へのデータ通信を与える。例えばネットワークリンク３１４は、ローカルネットワーク３１５を経由したホストコンピュータ３１６またはネットワーク記憶装置／サーバ３１７への接続を与え得る。更に、または代替としてネットワークリンク３１４は、ゲートウェイ／ファイアウォール３１７を経由してインターネットといったワイドエリアネットワークまたはグローバルネットワーク３１８に接続し得る。したがってコンピュータプラットフォーム３０１は、リモートネットワーク記憶装置／サーバ３１９といったインターネット３１８上のどこにでも配置されるネットワーク資源にアクセスできる。他方、コンピュータプラットフォーム３０１は、ローカルエリアネットワーク３１５および／またはインターネット３１８上のどこにでも位置するクライアントによってアクセスされ得る。ネットワーククライアント３２０、３２１は彼等自身、プラットフォーム３０１に類似するコンピュータプラットフォームに基づいて実現され得る。
【００６９】
ローカルネットワーク３１５とインターネット３１８は両者とも、デジタルデータストリームを搬送する電気、電磁または光信号を使用する。デジタルデータをコンピュータプラットフォーム３０１に、またコンピュータプラットフォームから搬送する、種々のネットワークを経由する信号および通信インタフェース３１３を経由するネットワークリンク３１４上の信号は、情報を搬送する搬送波の例示的な形である。
【００７０】
コンピュータプラットフォーム３０１は、インターネット３１８およびＬＡＮ３１５、ネットワークリンク３１４および通信インタフェース３１３を含む種々のネットワーク（単数または複数）を介してメッセージを送り、またプログラムコードを含むデータを受信できる。インターネットの例では、システム３０１がネットワークサーバとして機能するとき、このシステムはインターネット３１８、ゲートウェイ／ファイアウォール３１７、ローカルエリアネットワーク３１５および通信インタフェース３１３を介してクライアント（単数または複数）３２０および／または３２１上で動作するアプリケーションプログラムに関して要求されたコードまたはデータを送信し得る。同様にシステムは他のネットワーク資源からコードを受信し得る。
【００７１】
受信されたコードは、それが受信されたときにプロセッサ３０５によって実行され得るか、あるいは後刻の実行のために永続記憶装置３０８または揮発性記憶装置３０６にそれぞれ、または他の不揮発性記憶装置に記憶され得る。この仕方でコンピュータシステム３０１は、搬送波の形のアプリケーションコードを取得できる。
【００７２】
最後にここで説明されたプロセスと技法が如何なる特定の装置にも本来的に関連せず、また構成要素の如何なる適当な組合せによっても実現され得ることは理解されるべきである。更に、ここで説明された教えにしたがって如何なるタイプの汎用装置も使用可能である。ここで説明された方法ステップを実行するために専用装置を構成することが有利であることも明らかにし得る。本発明は、すべての点で限定的であるよりもむしろ例示的であるように意図された特定の実施形態に関連して説明されてきた。当業者は、ハードウェア、ソフトウェアおよびファームウェアの多くの異なる組合せが大型表示装置を使用して移動端末とインタラクションするためのシステムと方法とを実現するために適していることを認めるであろう。例えば説明されたソフトウェアは、アセンブラ、Ｃ／Ｃ＋、パール（ｐｅｒｌ）、シェル（ｓｈｅｌｌ）、ＰＨＰ、Ｊａｖａ（登録商標）などといった種々のプログラミング言語あるいはスクリプト言語で実現され得る。
【００７３】
本発明の種々の代表的実施形態は、ある程度の特殊性をもって上記に説明されてきたが、当業者は、本明細書と請求項とに述べられた本発明の主題の精神または範囲から逸脱せずに、開示された実施形態に多くの修正を行うことができるであろう。ここで直接的または間接的に述べられた方法論において、種々のステップと動作は１つの可能な動作順序で説明されているが、当業者は、本発明の精神と範囲から必ずしも逸脱せずに、ステップと動作とが再配列、交換または省略され得ることを認めるであろう。また説明された実施形態の種々の態様および／または構成要素は、外部表示装置を使用して移動端末とインタラクションするためのシステムおよび方法において、単独で、または任意の組合せで使用され得る。上記の説明に含まれた、あるいは付属の図面に示されたすべての事項は、限定的ではなく単に例示的であると解釈されるべきであることが意図されている。
【符号の説明】
【００７４】
１００  システム
１０２  移動端末
１０６  表示物
１１０  ホストシステム
１１２  外部表示装置
１２０  オブジェクト
【図１】
2010136323.tif 000003
【図２】
2010136323.tif 000004
【図３】
2010136323.tif 000005